(57)【要約】【課題】利用者が希望する企業や商品等の詳細な広告情報を即時に得ることができるようにする。【解決手段】利用者が所持する携帯端末１で屋外に設置された屋外看板６に描かれた二次元コード７を撮影し、撮影した二次元コード７の画像情報から文字や数字を復号して配信サーバ識別情報を抽出し、抽出した配信サーバ識別情報で示される配信サーバ２へ広告情報を要求する電文を送信し、その配信サーバ２から受信した広告情報を表示するようにした。【選択図】        図１
2008040243.tif 000002
【特許請求の範囲】
【請求項１】
配信サーバから受信した広告情報を携帯端末の表示部に表示する広告情報提供システムにおいて、
屋外に設置された屋外看板に描かれた二次元コードと、
前記二次元コードを撮影するカメラ部と、前記カメラ部で撮影した二次元コードの画像情報から文字や数字を復号して配信サーバ識別情報を抽出する制御部とを有する携帯端末とを設け、
前記携帯端末が、前記制御部で抽出した配信サーバ識別情報で示される配信サーバへ広告情報を要求する電文を送信し、該配信サーバから受信した広告情報を表示するようにしたことを特徴とする広告情報提供システム。
【請求項２】
配信サーバから受信した広告情報を携帯端末の表示部に表示する広告情報提供システムにおいて、
衣類に描かれた二次元コードと、
前記二次元コードを撮影するカメラ部と、前記カメラ部で撮影した二次元コードの画像情報から文字や数字を復号して配信サーバ識別情報を抽出する制御部とを有する携帯端末とを設け、
前記携帯端末が、前記制御部で抽出した配信サーバ識別情報で示される配信サーバへ広告情報を要求する電文を送信し、該配信サーバから受信した広告情報を表示するようにしたことを特徴とする広告情報提供システム。
【発明の詳細な説明】
【技術分野】
【０００１】
本発明は、広告看板等に描かれた二次元コードを読取り、広告情報を表示する携帯端末を利用した広告情報提供システムに関する。
【背景技術】
【０００２】
従来の広告情報提供システムは、携帯端末を所持する利用者が広告看板等に記載された広告内容や広告主の情報を携帯端末に入力して検索等を行うことにより、またＵＲＬ（Ｕｎｉｆｏｒｍ  Ｒｅｓｏｕｒｃｅ  Ｌｏｃａｔｏｒ）が記載されていればそのＵＲＬを入力してホームページに接続することにより目的とする詳細な情報を取得するようにしていた。
【０００３】
また、避難所誘導看板に取り付けた二次元コードを携帯電話機で読み取り、最寄りの避難場所を示す地図を表示して携帯電話機の所持者を迅速かつ安全に避難場所に誘導するものがある（例えば、特許文献１参照）。
【特許文献１】特開２００６−８４２２６号公報（段落「００２３」〜段落「００２９」、図１）
【発明の開示】
【発明が解決しようとする課題】
【０００４】
しかしながら、上述した従来の技術においては、携帯端末の所持者が広告看板等に記載された広告内容、広告主、ＵＲＬ等の情報を携帯端末で入力する操作は長い時間を必要とするものであり、特に屋外に設置された広告看板に描かれた情報に基づいて詳細な広告情報を取得することを希望する場合、急いでいるときなどは広告内容、広告主、ＵＲＬ等の情報を入力する操作を行うことができず、またその情報を記憶し、後で操作を行うようにしても正確な情報を思い出すことができず目的とする詳細な広告情報を取得することができなくなるという問題がある。
【０００５】
本発明は、このような問題を解決することを課題とする。
【課題を解決するための手段】
【０００６】
そのため、本発明は、配信サーバから受信した広告情報を携帯端末の表示部に表示する広告情報提供システムにおいて、屋外に設置された屋外看板に描かれた二次元コードと、前記二次元コードを撮影するカメラ部と、前記カメラ部で撮影した二次元コードの画像情報から文字や数字を復号して配信サーバ識別情報を抽出する制御部とを有する携帯端末とを設け、前記携帯端末が、前記制御部で抽出した配信サーバ識別情報で示される配信サーバへ広告情報を要求する電文を送信し、該配信サーバから受信した広告情報を表示するようにしたことを特徴とする。
【発明の効果】
【０００７】
このようにした本発明は、希望する企業や商品等の詳細な広告情報を即時に、また容易な操作で得ることができるという効果が得られる。
【発明を実施するための最良の形態】
【０００８】
以下、図面を参照して本発明による広告情報提供システムの実施例を説明する。
【実施例】
【０００９】
図１は実施例における広告情報提供システムの構成を示すブロック図、図２は実施例における携帯端末の構成を示すブロック図である。
まず、広告情報提供システムの構成を説明する。
図１において、１は携帯端末であり、利用者が携帯することができる端末装置である。この携帯端末１は携帯電話、ＰＨＳ（登録商標）、ＰＤＡ（Ｐｅｒｓｏｎａｌ  Ｄｉｇｉｔａｌ  Ａｓｓｉｓｔａｎｔ）や持ち運び可能なノート型パーソナルコンピュータ等であり無線通信が可能なものである。
【００１０】
２は配信サーバであり、ＣＰＵ（Ｃｅｎｔｒａｌ  Ｐｒｏｃｅｓｓｉｎｇ  Ｕｎｉｔ）、ＭＰＵ（Ｍｉｃｒｏ  Ｐｒｏｃｅｓｓｉｎｇ  Ｕｎｉｔ）等の演算および制御手段、磁気ディスク、半導体メモリ等の記憶手段および通信手段等を備えるものである。
この配信サーバ２はインターネット等の通信回線３および携帯端末１と無線通信を行う基地局４を介して携帯端末１と相互に通信可能になっている。
【００１１】
５は広告データベースであり、配信サーバ２に備えられたものである。この広告データベース５は携帯端末１へ配信する広告情報、例えば企業、商品、またはサービス等の広告情報を記憶する。
携帯端末１からの広告情報を要求する電文を受信した配信サーバ２は要求された広告情報を広告データベース５から抽出し、携帯端末１へ送信することができるものである。
【００１２】
なお、この配信サーバ２および広告データベース５は１台に限られることなく、広告情報を提供するそれぞれの企業等に設置され、複数台存在するものであってもよい。
６は屋外看板であり、建物の屋上に設置された看板や市街地等の屋外に設置された看板である。この屋外看板６には企業名や商品名等とともに文字や数字等の情報を符号化した二次元コード７が描かれている。
【００１３】
二次元コード７は広告情報提供者の配信サーバ２を識別する配信サーバ識別情報（例えば、ＵＲＬ）が符号化され、携帯端末１はその二次元コード７をカメラで撮影し、その撮影画像を処理して配信サーバ識別情報を抽出し、その配信サーバ識別情報で識別される配信サーバ２から詳細な広告情報を受信して表示することができる。
また、二次元コード７は配信サーバ識別情報だけでなく、詳細な広告情報を符号化したものであってもよい。
【００１４】
このように二次元コード７は屋外看板６に描かれた企業名や商品名等の広告情報を補完するためのものである。
上述したように広告情報提供システムは、携帯端末１、二次元コード７、配信サーバ２、通信回線３および基地局４等から構成されたものである。
次に、携帯端末１の構成を説明する。
【００１５】
図２において、１１は音声入出力部であり、利用者の通話音声等の音声を入力し、また通話音声等の音声を出力するものである。この音声入出力部１１はマイクロホン等の音声入力部、およびイヤホンやスピーカ等の音声出力部で構成されたものである。
１２は表示部であり、液晶ディスプレイ等で構成されたものである。この表示部１２は文字や図柄等で各種情報や携帯端末１の動作状態等を表示する。
【００１６】
１３はキー入力部であり、カメラで撮影を行うためのシャッタキー等の操作キーやテンキー、確定キー等の各種キーの入力手段の押下等を検知するものである。
１４はカメラ部であり、レンズ付きＣＣＤ（Ｃｈａｒｇｅ  Ｃｏｕｐｌｅｄ  Ｄｅｖｉｃｅｓ）カメラ等で構成されたものである。このカメラ部１４はキー入力部１３のシャッタキーを押下することにより静止画像を撮影することができ、その撮影した静止画像を画像処理が可能な画像情報として取り込むことができるものである。
【００１７】
１５は無線通信部であり、基地局４との間で相互に無線通信を行うものである。この無線通信部１５により、基地局４および通信回線３を介して配信サーバ２との間で情報の授受を行うことができる。
１６は記憶部であり、半導体メモリ等の記憶素子で構成され、情報を記憶し、また、記憶した情報を読み出すことができるものである。この記憶部１６にはカメラ部１４で撮影した画像情報や配信サーバ２から通信回線３および基地局４を介して受信した各種情報等を記憶することができ、また、携帯端末１全体の動作を制御する制御プログラム（ソフトウェア）等を記憶することができる。
【００１８】
１７は制御部であり、ＣＰＵ等の演算および制御手段等で構成されたものである。この制御部１７は音声入出力部１１、表示部１２、キー入力部１３、カメラ部１４、無線通信部１５および記憶部１６を含めて携帯端末１全体の動作を記憶部１６に格納された制御プログラム（ソフトウェア）に基づいて制御する。
また、制御部１７はカメラ部１４で撮影された二次元コードの画像情報から符号化された文字や数字を復号し、配信サーバ識別情報等を抽出することができる二次元コード画像処理手段を備えている。
【００１９】
このように構成された携帯端末１は、制御部１７の制御により、カメラ部１４で撮影した二次元コードの画像情報から文字や数字を抽出するとともに配信サーバ識別情報を抽出し、その配信サーバ識別情報で示される配信サーバ２との間で情報の授受を行うことができる。
上述した構成の作用について説明する。
【００２０】
図３は実施例における広告情報を配信する処理の流れを示すフローチャートであり、図中Ｓで表すステップにしたがって説明する。
なお、以下に説明する各部の動作は、図示しないメモリや磁気ディスク等の記憶手段に格納されたプログラム（ソフトウェア）に基づいて図示しない中央処理装置等の制御手段により制御される。
【００２１】
Ｓ１：利用者は携帯端末１のキー入力１３のシャッタキーを押下し、カメラ部１４で屋外看板６に描かれた二次元コード７を撮影する。二次元コード７を撮影した携帯端末１の制御部１７はカメラ部１４で撮影した画像情報を記憶部１６に記憶させる。
Ｓ２：携帯端末１の制御部１７の二次元コード画像処理手段は記憶部に記憶された二次元コード７の画像情報から符号化された文字や数字を復号し、二次元コード７で示される情報を判別する。
【００２２】
Ｓ３：二次元コード７で示される情報を判別すると携帯端末１の制御部１７はその情報を表示部１２に表示させる。なお、二次元コード７で示される情報は配信サーバ識別情報だけでなく、企業や商品の広告情報としてもよく、また、配信サーバ識別情報と企業や商品の広告情報の両方を含ませるようにしてもよい。
このとき、制御部１７は判別された情報に配信サーバ識別情報が含まれているか否かをさらに判別し、配信サーバ識別情報であると判別された情報は白抜きの文字列で表示部１２に表示させるものとする。
【００２３】
Ｓ４：利用者は携帯端末１の表示部１２に表示された情報を目視し、白抜きの文字列で表示された配信サーバ識別情報が存在することを確認する。
利用者は配信サーバ識別情報が存在することを確認すると「確定」キー等を押下し、処理をＳ５へ移行する。一方、配信サーバ識別情報が存在しない場合、利用者は表示部１２に表示された広告情報等を確認し、終了する。
【００２４】
Ｓ５：利用者により携帯端末１の「確定」キー等が押下されたことをキー入力部１３で検知すると制御部１７はその配信サーバ識別情報で識別される配信サーバ２へ広告情報を要求する電文を送信する。
Ｓ６：広告情報を要求する電文を受信した配信サーバ２は広告データベース５から広告情報を抽出し、携帯端末１へ送信する。
【００２５】
Ｓ７：広告情報を受信した携帯端末１の制御部１７は図４に示すように受信した広告情報を表示部１２に表示させる。
このようにして利用者は屋外看板６に描かれた二次元コード７を携帯端末１で撮影し、屋外看板６の広告情報を補完する詳細な広告情報をその携帯端末１に表示させることができる。
【００２６】
本実施例では、屋外看板６に描かれた二次元コードを携帯端末１で撮影し、広告情報携帯端末１に表示させるようしたが、図５に示すようにＴシャツ等の衣類８に描かれた二次元コード７を携帯端末１で撮影するようにしてもよい。
以上説明したように、本実施例では、屋外看板や衣類に描かれた二次元コードを携帯端末のカメラで撮影することにより、利用者は希望する企業や商品等の詳細な広告情報を即時に、また容易な操作で得ることができるという効果が得られる。
【００２７】
また、企業等の広告情報の提供者は、利用者が希望する広告情報を適時に提供することができるという効果が得られる。
【図面の簡単な説明】
【００２８】
【図１】実施例における広告情報提供システムの構成を示すブロック図
【図２】実施例における携帯端末の構成を示すブロック図
【図３】実施例における広告情報を配信する処理の流れを示すフローチャート
【図４】実施例における広告情報を表示した携帯端末の表示部の説明図
【図５】実施例における衣類に付した二次元コードの説明図
【符号の説明】
【００２９】
１    携帯端末
２    配信サーバ
３    通信回線
４    基地局
５    広告データベース
６    屋外看板
７    二次元コード
１１  音声入出力部
１２  表示部
１３  キー入力部
１４  カメラ部
１５  無線通信部
１６  記憶部
１７  制御部
【図１】
2008040243.tif 000003
【図２】
2008040243.tif 000004
【図３】
2008040243.tif 000005
【図４】
2008040243.tif 000006
【図５】
2008040243.tif 000007